【手続補正書】
【提出日】令和3年10月1日(2021.10.1)
【手続補正１】
【補正対象書類名】特許請求の範囲
【補正対象項目名】全文
【補正方法】変更
【補正の内容】
【特許請求の範囲】
【請求項１】
複数台のユーザ端末と、前記ユーザ端末を操作する複数のユーザによる共同の作業を支援する共同作業支援システムと、を有する情報処理システムであって、
前記共同作業支援システムは、
録画データ又は録音データから変換された音声テキストデータに基づいたアクションアイテム候補と、前記アクションアイテム候補の前記録画データ又は前記録音データにおける再生位置情報とを、前記ユーザ端末に送信する送信手段、
を有し、
前記ユーザ端末は、
前記アクションアイテム候補及び前記再生位置情報を、前記共同作業支援システムから受信する受信手段と、
受信した前記アクションアイテム候補と受信した前記再生位置情報とに基づいて、前記録画データ又は前記録音データの再生を開始する情報を組み込んだリンクを、前記アクションアイテム候補と対応付けて表示部に表示させる表示制御手段と、
を有する情報処理システム。
【請求項２】
前記ユーザ端末は、前記リンクがクリックされると、前記リンクに組み込まれた情報に基づく位置から前記録画データ又は前記録音データの再生を開始する再生手段
を有すること
を特徴とする請求項１記載の情報処理システム。
【請求項３】
前記リンクは、前記録画データ又は前記録音データを開始する情報よりも所定時間前の情報を組み込んだリンクであること
を特徴とする請求項１又は２記載の情報処理システム。
【請求項４】
前記ユーザ端末は、更に、
前記アクションアイテム候補からアクションアイテム、前記アクションアイテムを実行する実行者、及び前記アクションアイテムの期限の登録操作を受け付ける受付手段と、
前記登録操作を受け付けた前記アクションアイテム、前記アクションアイテムを実行する実行者、及び前記アクションアイテムの期限の登録要求を、前記アクションアイテムを管理するアクションアイテム管理手段に対して行う要求手段と、
を有する請求項１乃至３の何れか一項に記載の情報処理システム。
【請求項５】
前記表示制御手段は、前記再生位置情報に基づき、前記リンクを、前記アクションアイテム管理手段に対して前記登録要求が行われた前記アクションアイテムと対応付けて前記表示部に表示させること
を特徴とする請求項４記載の情報処理システム。
【請求項６】
前記表示制御手段は、前記アクションアイテム管理手段に対して前記登録要求が行われた前記アクションアイテムを、前記複数のユーザの全員分又は個別に一覧表示すること
を特徴とする請求項４又は５記載の情報処理システム。
【請求項７】
前記共同作業支援システムは、更に、
前記音声テキストデータから、前記アクションアイテム候補と、前記再生位置情報とを検出する検出手段、
を有する請求項１乃至６の何れか一項に記載の情報処理システム。
【請求項８】
複数台のユーザ端末と通信可能であり、前記ユーザ端末を操作する複数のユーザによる共同の作業を支援する情報処理装置であって、
録画データ又は録音データから変換された音声テキストデータに基づいたアクションアイテム候補と、前記アクションアイテム候補の前記録画データ又は前記録音データにおける再生位置情報に基づく前記録画データ又は前記録音データの再生を開始する情報を組み込んだリンクと、を表示部に表示させる画面の画像データを作成する作成手段と、
前記画像データを前記ユーザ端末に送信する送信手段と、
を有する情報処理装置。
【請求項９】
複数のユーザによる共同の作業を支援する共同作業支援システムと通信可能なユーザ端末であって、
録画データ又は録音データから変換された音声テキストデータに基づいたアクションアイテム候補と、前記アクションアイテム候補の前記録画データ又は前記録音データにおける再生位置情報とを、前記共同作業支援システムから受信する受信手段と、
受信した前記アクションアイテム候補と受信した前記再生位置情報とに基づいて、前記録画データ又は前記録音データの再生を開始する情報を組み込んだリンクを、前記アクションアイテム候補と対応付けて表示部に表示させる表示制御手段と、
を有するユーザ端末。
【請求項１０】
複数のユーザによる共同の作業を支援する共同作業支援システムと通信可能なユーザ端末が実行する情報処理方法であって、
録画データ又は録音データから変換された音声テキストデータに基づいたアクションアイテム候補と、前記アクションアイテム候補の前記録画データ又は前記録音データにおける再生位置情報とを、前記共同作業支援システムから受信する受信ステップと、
受信した前記アクションアイテム候補と受信した前記再生位置情報とに基づいて、前記録画データ又は前記録音データの再生を開始する情報を組み込んだリンクを、前記アクションアイテム候補と対応付けて表示部に表示させる表示制御ステップと、
を実行する情報処理方法。
【請求項１１】
複数台のユーザ端末と通信可能であり、前記ユーザ端末を操作する複数のユーザによる共同の作業を支援する情報処理装置を、
録画データ又は録音データから変換された音声テキストデータに基づいたアクションアイテム候補と、前記アクションアイテム候補の前記録画データ又は前記録音データにおける再生位置情報に基づく前記録画データ又は前記録音データの再生を開始する情報を組み込んだリンクと、を表示部に表示させる画面の画像データを作成する作成手段、
前記画像データを前記ユーザ端末に送信する送信手段、
として機能させるためのプログラム。
【請求項１２】
複数のユーザによる共同の作業を支援する共同作業支援システムと通信可能なユーザ端末を、
録画データ又は録音データから変換された音声テキストデータに基づいたアクションアイテム候補と、前記アクションアイテム候補の前記録画データ又は前記録音データにおける再生位置情報とを、前記共同作業支援システムから受信する受信手段、
受信した前記アクションアイテム候補と受信した前記再生位置情報とに基づいて、前記録画データ又は前記録音データの再生を開始する情報を組み込んだリンクを、前記アクションアイテム候補と対応付けて表示部に表示させる表示制御手段、
として機能させるためのプログラム。
【請求項１３】
前記ユーザ端末を、更に、
前記リンクがクリックされると、前記リンクに組み込まれた情報に基づく位置から前記録画データ又は前記録音データの再生を開始する再生手段、
として機能させるための請求項１２記載のプログラム。
【請求項１４】
前記リンクは、前記録画データ又は前記録音データを開始する情報よりも所定時間前の情報を組み込んだリンクであること
を特徴とする請求項１２又は１３記載のプログラム。
【請求項１５】
前記ユーザ端末を、更に、
前記アクションアイテム候補からアクションアイテム、前記アクションアイテムを実行する実行者、及び前記アクションアイテムの期限の登録操作を受け付ける受付手段、
前記登録操作を受け付けた前記アクションアイテム、前記アクションアイテムを実行する実行者、及び前記アクションアイテムの期限の登録要求を、前記アクションアイテムを管理するアクションアイテム管理手段に対して行う要求手段、
として機能させるための請求項１２乃至１４の何れか一項に記載のプログラム。
【請求項１６】
前記表示制御手段は、前記再生位置情報に基づき、前記リンクを、前記アクションアイテム管理手段に対して前記登録要求が行われた前記アクションアイテムと対応付けて前記表示部に表示させること
を特徴とする請求項１５記載のプログラム。
【請求項１７】
前記表示制御手段は、前記アクションアイテム管理手段に対して前記登録要求が行われた前記アクションアイテムを、前記複数のユーザの全員分又は個別に一覧表示すること
を特徴とする請求項１５又は１６記載のプログラム。
【手続補正２】
【補正対象書類名】明細書
【補正対象項目名】０００５
【補正方法】変更
【補正の内容】
【０００５】
本発明の実施の形態は、アクションアイテム候補の録画データの再生を開始する情報を組み込んだリンクをアクションアイテム候補と対応付けて表示できる情報処理システムを提供することを目的とする。
【手続補正３】
【補正対象書類名】明細書
【補正対象項目名】０００６
【補正方法】変更
【補正の内容】
【０００６】
上記した課題を達成するために本願請求項１は、複数台のユーザ端末と、前記ユーザ端末を操作する複数のユーザによる共同の作業を支援する共同作業支援システムと、を有する情報処理システムであって、前記共同作業支援システムは、録画データ又は録音データから変換された音声テキストデータに基づいたアクションアイテム候補と、前記アクションアイテム候補の前記録画データ又は前記録音データにおける再生位置情報とを、前記ユーザ端末に送信する送信手段、を有し、前記ユーザ端末は、前記アクションアイテム候補及び前記再生位置情報を、前記共同作業支援システムから受信する受信手段と、受信した前記アクションアイテム候補と受信した前記再生位置情報とに基づいて、前記録画データ又は前記録音データの再生を開始する情報を組み込んだリンクを、前記アクションアイテム候補と対応付けて表示部に表示させる表示制御手段と、を有することを特徴とする。
【手続補正４】
【補正対象書類名】明細書
【補正対象項目名】０００７
【補正方法】変更
【補正の内容】
【０００７】
本発明の実施の形態によれば、アクションアイテム候補の録画データの再生を開始する情報を組み込んだリンクをアクションアイテム候補と対応付けて表示できる。